(57)【要約】  器具２は双円錐状貫通孔を有し、ハンドル上には、ハンドル・ヘッド１が差込まれる前記孔の表面に一致する外側表面を備えたハンドル・ヘッド１が在る手動の用具もしくは工具のためのハンドル接続機構。ハンドル・ヘッド１は内側孔４０を呈し、その出口３１における退出角度区域Ｚ２内には、退出角度区域Ｚ２に対して圧力が付与されたときに前記区域を前記孔に対して面一に嵌合させる楔状部材５が在る。ハンドル接続機構は、締着ネジ７を有し、その本体１６は楔状部材５を貫通し、前記本体はハンドル１のヘッドに対して螺条１５、１５１により直接的／間接的に螺着され、前記ネジは、前記器具２に対して直接的／間接的に当接するヘッド（９）を有し、ハンドル１のヘッドが締着ネジ７に関してナットの様に作用する。【選択図】図３
2008514442.tif 000002
【特許請求の範囲】
【請求項１】
ａ）器具（２）は、ハンドル（１）のヘッドが差込まれることで前記ハンドル・ヘッド（１）の端部表面（Ｘ）を残置する孔（１１）を有し、
ｂ）前記ハンドル接続機構は締着ネジ（７）を有し、その本体（１６）は前記ハンドル（１）のヘッドに対して直接的／間接的に螺着（１５）、（１５１）されると共に、前記本体は、前記ハンドル・ヘッド（１）が長さ方向に移動することで前記締着ネジ（７）に関するナットとして作用し得る如き様式で前記工具（２）に対して直接的／間接的に当接するヘッド（９）を備えることを特徴とする、
手動の用具もしくは工具のためのハンドル接続機構。
【請求項２】
ａ）前記器具（２）は入口区域（１１１）および出口区域（１１２）から成る孔を有し、前記出口区域（１１２）の表面は少なくとも前記孔の内部に向けて収束し、
ｂ）前記ハンドルは進入角度区域（Ｚ１）および退出角度区域（Ｚ２）を備えたハンドル・ヘッド（１）を有し、前記進入角度区域（Ｚ１）の外側表面はそれが差込まれる前記孔の対応表面に一致すると共にこのハンドル・ヘッド（１）の端部表面（Ｘ）は自由にされ、前記ハンドル・ヘッド（１）は前記退出角度区域（Ｚ２）における出口（３１）にて楔状部材（５０）を有する内側孔を呈し、前記楔状部材は前記退出角度区域（Ｚ２）に対して圧力が付与されたときに前記退出角度区域を、前記退出角度区域が差込まれた前記孔の対応退出角度区域に対して面一に嵌合させ、
ｃ）前記ハンドル接続機構は締着ネジ（７）を有し、その本体（１６）は、前記楔状部材（５０）を貫通すると共に、前記ハンドル（１）のヘッドに対して直接的／間接的に螺着（１５）、（１５１）され、前記ハンドル・ヘッド（１）が長さ方向に移動することで前記締着ネジ（７）に関するナットとして作用し得る如き様式で前記工具（２）に対して直接的／間接的に当接するヘッド（９）を備える、
ことを特徴とする、請求項１に記載の手動の用具もしくは工具のためのハンドル接続機構。
【請求項３】
前記締着ネジ（７）は、前記ハンドル（１）のヘッドに対して取付けられた第３要素（３）により前記ハンドル（１）のヘッド内に間接的に螺着され、前記第３要素（３）およびハンドル・ヘッド（１）は異なる材料から作成されることを特徴とする、請求項１または２に記載の手動の用具もしくは工具のためのハンドル接続機構。
【請求項４】
前記ハンドル接続機構は、前記締着ネジ（７）の前記ヘッド（９）と、前記器具（２）との間、または、前記ヘッド（９）と、前記工具（２）に対して直接的／間接的に接続された要素との間に、機械的引張力初期化手段（６）を備えることを特徴とする、請求項１から３のいずれか一項に記載の手動の用具もしくは工具のためのハンドル接続機構。
【請求項５】
前記締着ネジ（７）の前記ヘッド（９）は前記楔状部材（５０）により前記器具（２）に対して直接的に当接することを特徴とする、請求項１から４のいずれか一項に記載の手動の用具もしくは工具のためのハンドル接続機構。
【請求項６】
前記締着ネジ（７）の前記ヘッド（９）は、前記貫通孔（１１）の前記出口において前記器具（２）に対して締着された停止用ワッシャ（１９、５）により前記器具（２）に対して直接的に当接することを特徴とする、請求項１から４のいずれか一項に記載の手動の用具もしくは工具のためのハンドル接続機構。
【請求項７】
前記ハンドル接続機構は、前記締着ネジ（７）の前記ヘッド（９）と前記楔状部材（５０）との間に前記機械的引張力初期化手段（６）を備えることを特徴とする、請求項５に記載の手動の用具もしくは工具のためのハンドル接続機構。
【請求項８】
前記ハンドル接続機構は、前記締着ネジ（７）の前記ヘッド（９）と前記停止用ワッシャ（１９、５）との間に前記機械的引張力初期化手段（６）を備えることを特徴とする、請求項６に記載の手動の用具もしくは工具のためのハンドル接続機構。
【請求項９】
前記ハンドル接続機構は、前記楔状部材（５０）と前記停止用ワッシャ（１９）との間に機械的二次引張手段（１０）を備えることを特徴とする、請求項８に記載の手動の用具もしくは工具のためのハンドル接続機構。
【請求項１０】
前記ハンドル接続機構は、前記器具（２）と前記停止用ワッシャ（１９）との間に回転防止ピン（８）を備えることを特徴とする、請求項１から９のいずれか一項に記載の手動の用具もしくは工具のためのハンドル接続機構。
【請求項１１】
前記ハンドル接続機構は、前記第３要素（３）と前記停止用ワッシャ（５）との間に回転防止ピン（８）を備えることを特徴とする、請求項１から９のいずれか一項に記載の手動の用具もしくは工具のためのハンドル接続機構。
【請求項１２】
前記ハンドル接続機構は、前記ハンドル（１）のヘッドと前記停止用ワッシャ（５）との間に回転防止ピン（８）を備えることを特徴とする、請求項１から９のいずれか一項に記載の手動の用具もしくは工具のためのハンドル接続機構。
【請求項１３】
前記孔、前記ハンドル（１）のヘッド、前記第３要素（３）、および、前記楔状部材（５０）は同軸であることを特徴とする、請求項１から１２のいずれか一項に記載の手動の用具もしくは工具のためのハンドル接続機構。
【請求項１４】
前記ハンドル接続機構は、前記ハンドル（１）のヘッドに対して直接的／間接的に螺着（１５）、（１５１）された締着ネジ（７）における自動ロック片（４）を有することを特徴とする、請求項１から１３のいずれか一項に記載の手動の用具もしくは工具のためのハンドル接続機構。
【請求項１５】
前記第３要素（３）は前記ハンドル（１）のヘッド内に深く貫通する延在部（１２）を有することを特徴とする、請求項３に記載の手動の用具もしくは工具のためのハンドル接続機構。
【請求項１６】
前記ハンドル接続機構は前記器具（２）と前記ハンドル（１）のヘッドとの間に回転防止ピン（８）を備えることを特徴とする、請求項１から４のいずれか一項に記載の手動の用具もしくは工具のためのハンドル接続機構。
【請求項１７】
前記孔および前記ハンドル（１）のヘッドは相互に嵌合されることを特徴とする、請求項１または２に記載の手動の用具もしくは工具のためのハンドル接続機構。
【請求項１８】
前記ハンドル接続機構は前記第３要素（３）と前記ハンドル（１）のヘッドとの間に少なくとも一個の拡開ワッシャ（２０）を備え、前記ワッシャは前記ハンドル（１）のヘッド内において前記第３要素（３）の螺条（１３）に対する回転防止機能を果たすと共に前記ハンドル（１）のヘッドに対する軸方向停止部として作用することで、前記第３要素（３）が前記ハンドル（１）のヘッドから分離するのを防止することを特徴とする、請求項３に記載の手動の用具もしくは工具のためのハンドル接続機構。
【請求項１９】
前記締着ネジ（７）の前記本体（１６）は前記ハンドル（１）のヘッド内へと直接的に螺着されることを特徴とする、請求項１または２に記載の手動の用具もしくは工具のためのハンドル接続機構。
【請求項２０】
前記器具（２）は前記締着ネジの前記ヘッド（９）を隠すキャビティ（１８）を有し、前記キャビティ（１８）は、前記ハンドル（１）のヘッドから前記器具（２）を分離するために力が付与され得る引抜き要素（２５）を有することを特徴とする、請求項１９に記載の手動の用具もしくは工具のためのハンドル接続機構。
【発明の詳細な説明】
【技術分野】
【０００１】
手動の器具、用具、工具または道具は、たとえば、金槌、帚（ほうき）、ネジ回し、斧、手斧、櫓（オール）、ステッキ、平鍋、料理用具などの器具／工具アセンブリに対して接続されるべきハンドルを有する。
【背景技術】
【０００２】
この接続機構は、使用および継続的な強打により劣化することで、不都合な摩耗および間隙を引き起こす。
【発明の開示】
【発明が解決しようとする課題】
【０００３】
本発明の目的により解決されるべき課題は以下のものである。すなわち、ハンドルと器具との間における調節可能および／または正確な接続機構；経時的な使用および強打に対しても間隙なしで維持される接続機構；調整／締め付けされ得る接続機構；および、分離を防止すると共にハンドルが器具から脱落するのを防止する高度に安全な接続機構。
【課題を解決するための手段】
【０００４】
本発明の接続機構を用いることにより、器具の耐用寿命が延びると共に、時間が経過してもその特性は、まさに最初に使用されたときの様に維持される。
【０００５】
特に、本発明に係る手動の用具もしくは工具のためのハンドル接続機構は、
ａ）前記用具は、前記ハンドルのヘッドが嵌合される孔を有し、且つ、
ｂ）前記ハンドル接続機構は、前記ハンドルのヘッドに対して直接的／間接的に螺着される締着ネジであって、前記ハンドル・ヘッドが前記締着ネジに対して圧力を及ぼす如き様式で前記用具に対して直接的／間接的に当接するヘッドを備える締着ネジを有することを特徴とする。
【０００６】
前記ハンドル接続機構は、前記締着ネジは前記ハンドル・ヘッドに取付けられた第３要素により前記ハンドル・ヘッド内に間接的に螺着され、この第３要素および前記ハンドル・ヘッドは異なる材料から作成される事実によっても特徴付けられる。
【０００７】
前記ハンドル接続機構は、前記締着ネジの前記ヘッドは、前記ヘッドが貫通する前記器具の出口に形成された差込部内に嵌合された停止用ワッシャにより、前記器具に対して間接的に当接することも特徴とする。
【０００８】
前記ハンドル接続機構は、前記器具および前記第３要素は金属製であり且つ前記ハンドルのヘッドは非金属であることも特徴とする。
【０００９】
前記ハンドル接続機構は、前記孔および前記ハンドルのヘッドが完全に密封された水密シールにより相互に嵌合されることも特徴とする。
【００１０】
前記ハンドル接続機構はまた、
ａ）前記器具は、好適には貫通孔である孔であって、好適には相互に収束する入口区域および出口区域から成る孔を有し、
ｂ）前記ハンドルは進入角度区域および退出角度区域を備えたハンドル・ヘッドを有し、前記進入角度区域の外側表面は前記区域が挿入される前記孔の対応表面に一致し、前記ハンドル・ヘッドは前記退出角度区域の前記出口における楔状部材を備えた内側孔を呈し、前記楔状部材は前記退出角度区域に対して圧力が付与されたときに前記退出角度区域を、前記退出角度区域が挿入された前記孔の対応退出角度区域に対して面一に嵌合させ、
ｃ）前記ハンドル接続機構は、本体が前記楔状部材を貫通する締着ネジを有し、前記ネジは、前記ハンドルのヘッドに対して直接的／間接的に螺着され、前記ハンドルのヘッドが前記締着ネジに関するナットの様に作用する如く前記器具に対して直接的／間接的に当接するヘッドを備える、
ことも特徴とする。
【００１１】
前記ハンドル接続機構は、前記ハンドル接続機構が、前記締着ネジのヘッドと、前記器具との間、または、前記器具に対して直接的／間接的に結合された要素との間に機械的引張力初期化手段を備えることも特徴とする。
【００１２】
前記ハンドル接続機構は、前記締着ネジのヘッドが楔状部材により前記器具に対して間接的に当接することも特徴とする。
【００１３】
前記ハンドル接続機構は、前記締着ネジのヘッドが、前記貫通孔の前記出口において前記器具に嵌合された停止用ワッシャにより前記器具に対して間接的に当接することも特徴とする。
【００１４】
前記ハンドル接続機構は、前記ハンドル接続機構が前記締着ネジのヘッドと前記楔状部材との間に機械的引張力初期化手段を備えることも特徴とする。
【００１５】
前記ハンドル接続機構は、前記ハンドル接続機構が前記締着ネジのヘッドと前記停止用ワッシャとの間に機械的引張力初期化手段を備えることも特徴とする。
【００１６】
前記ハンドル接続機構は、前記楔状部材と前記停止用ワッシャとの間に機械的二次引張手段が在ることも特徴とする。
【００１７】
この接続機構は、上述されたハンドル／器具の接続機構に関する問題を効果的に解決する。
【００１８】
それは、（前記楔状部材による圧力の後で）前記ハンドルの円錐状もしくは双円錐状のヘッドの接触表面全体に沿い、且つ、前記器具の円錐状もしくは双円錐状の貫通孔内において、円錐状接続機構もしくは両方とも双円錐状の接続機構の雄／雌要素間における（逆方向の）阻止力および引張力を以て嵌合される接続機構である。これらの引張力は一定であることが好適である。
【００１９】
本発明の目的をより良く理解するために図面は、基本構造を損なわない付帯的変更をともなう好適な様式の実施形態を表す。
【発明を実施するための最良の形態】
【００２０】
以下においては、本発明の実施形態の非限定的な例が記述される。
【００２１】
器具は雌機能を果たすことから、前記器具は、ハンドル（１）のヘッドであって雄機能を果たすヘッドが差込まれる孔（１１）を有する。孔（１１）は、貫通孔とされても良く（図１）、されなくても良い（図２）。
【００２２】
孔（１１）の表面領域およびハンドル（１）の前記ヘッドの外側表面領域は相互に完全に一致かつ嵌合される、と言うのも、たとえば両者は精密加工されているからである。
【００２３】
両方の表面間の嵌合は完全である。
【００２４】
孔（１１）の表面は収束しており、その断面の表面は前記孔の一端から他端に亙り減少することを意味し、故にこの区画は円形、楕円または多角形などの任意の形状を有し得る。
【００２５】
図１においては貫通孔（１１）の出口にて、たとえば停止用ワッシャ（５）を固定差込部（１０）内に嵌合することで前記停止用ワッシャ（５）は器具（２）に対して締着されることが理解され得る。
【００２６】
ハンドル（１）のヘッドを器具（２）に対して結合する締着ネジ（７）が在ることから、前記ハンドル（１）は、たとえば前記ハンドルのヘッド内に深く貫通する先鋭突出部（１２）の螺条（１３）を螺着挿入することにより、または、他の任意の従来手段により、ハンドル（１）のヘッドに対して締着された第３要素（３）（引張りシャフト）を備える。
【００２７】
第３要素（３）の本体（１４）は、任意の種類の断面を有し得る。
【００２８】
締着ネジ（７）はその本体（１６）により第３要素（３）の本体（１４）内へと螺着（１５）されると共に、前記締着ネジは直接的／間接的に器具（２）に対して当接せねばならない。この場合（図１）、前記締着ネジは停止用ワッシャ（５）により間接的に当接している。故に、締着ネジ（７）は停止用ワッシャ（５）を貫通すると共に前記締着ネジ（７）のヘッド（９）はこの停止用ワッシャ（５）に対して当接し、且つ、前記２個の部材間には、定常引張力ワッシャ（６）、または、たとえばスプリング、弾性プレートなどの他の機械的な引張手段が在る。
【００２９】
締着ネジ（７）は強弱自在に締め付け可能であり、孔（１１）内においてハンドル（１）のヘッドと器具（２）との間に生ずる間隙は補正され得る。
【００３０】
第３要素（３）の本体（１４）内における締着ネジ（７）の螺条（１５）に対しては、たとえばプラスチック製の自動ロック片（４）が装着される。
【００３１】
図１における如く停止用ワッシャ（５）と第３要素（３）との間に補足的要素として回転防止ピン（８）が在るが、それは停止用ワッシャ（５）とハンドル（１）のヘッドとの間に配置され得る。それはまた、器具（２）とハンドル（１）のヘッドとの間、または、これらの要素の内の幾つかの間に同時に配置され得る。
【００３２】
回転防止ピン（８）は、キー、または、他の同等の機械的要素により置き換えられ得る。
【００３３】
第３要素（３）の材料は、ハンドル（１）のヘッドの材料と異なる。たとえばハンドル（１）のヘッドは木材もしくは合成材料であると共に、第３要素（３）は金属であり、または、両方の要素が非金属とされ得る。
【００３４】
通常、器具（２）自体は金属製である。
【００３５】
図２においては、締着ネジ（７）のヘッド（９）が如何にして器具（２）に対し直接的に当接するかが理解され得る。締着ネジ（７）の本体（１６）は器具（２）内に形成された第２貫通孔（１７）を貫通し、前記締着ネジはハンドル（１）のヘッド内へと直接的に螺着される。
【００３６】
図１に示された処と同様に、定常引張力ワッシャ（６）、自動ロック片（４）および回転防止ピン（８）が在る。
【００３７】
締着ネジ（７）のヘッド（９）を逃がすために、器具（２）内にはキャビティ（１８）が形成される。
【００３８】
ハンドル（１）のヘッド上における要素（３）の更に良好な締着を提供すべく、それらの間には（たとえば）１個または種々の（拡開可能な）止めワッシャ（２０）、保持クリップ、または、同等の機械的要素が在り、これは、第３要素（３）の螺条（１３）がハンドル（１）のヘッド内で回転するのを防止すると共に、ハンドル（１）のヘッドに対する軸方向停止部として機能することにより第３要素（３）がハンドル（１）のヘッドから分離するのを防止する。
【００３９】
拡開ワッシャ（２０）によれば、螺条（１３）が破断した場合でさえも、第３要素（３）はハンドル（１）のヘッドから分離しないこと、換言すると、器具（２）がハンドル（１）のヘッドから分離しないことが保証される。
【００４０】
キャビティ（１８）内には、引抜き要素（２５）（たとえば拡開ワッシャ）が配置され、前記キャビティ（１８）から離脱させずに締付けネジ（７）を螺着解除するときに前記引抜き要素に対して引抜き力を付与することができ、ハンドル（１）のヘッドから器具（２）が分離される（図２）。
【００４１】
図３に示された形態において前記貫通孔は、前記貫通孔の中心に向かう収束表面（たとえば、円形、楕円形または多角形などの任意の種類の断面を備えた円錐、角錐区画などの２つの区画）である入口区域（１１１）および出口区域（１１２）を呈する。
【００４２】
ハンドル・ヘッド（１）は進入角度区域（Ｚ１）および退出角度区域（Ｚ２）を呈し、それらの外側表面は、（以下に説明される如く楔状部材（５）が一旦作用したなら）前記貫通孔の対応表面により呈される外側表面に対して面一に嵌合される。
【００４３】
ハンドル・ヘッド（１）は、前記貫通孔に挿入されたままである。
【００４４】
ハンドル（１）のヘッドには、出口（３１）において楔状部材（５０）を有する底部孔（４０）が形成される。
【００４５】
好適には退出角度区域（Ｚ２）は、溝または拡開区域を呈し、前記区域が前記貫通孔の最小半径区域（Ｚ３）へ貫通する、または最小半径区域を通過して導入されるのを可能とする。こうして、退出角度区域（Ｚ２）は前記貫通孔の出口区域（１１２）内に配置され、前記退出角度区域は、たとえば円錐形状である楔状部材（５０）によりこの出口区域（１１２）に対して調節される。退出角度区域（Ｚ２）は、変形可能で拡開可能である。
【００４６】
締着ネジ（７）はその本体（１６）により第３要素（３）の本体（１４）内へと螺着（１５）されると共に、前記ネジは器具（２）に対して直接的／間接的に当接せねばならない。この場合（図４）、前記ネジは楔状部材（５０）により間接的に当接する。故に締着ネジ（７）は楔状部材（５０）を貫通すると共に、前記締着ネジ（７）のヘッド（９）はこの楔状部材（５０）に対して当接する。それらの間には、定常引張力ワッシャ（６）、または例えばスプリング、弾性プレートなどの他の機械的な引張手段の如き引張力初期化手段が配備される。
【００４７】
締着ネジ（７）は強弱自在に締め付け可能であり、前記貫通孔内においてハンドル（１）のヘッドと器具（２）との間に生ずる間隙は補正され得ることから、器具（２）と、ハンドル（１）のヘッドと、楔状部材（５０）との間の摩擦区域全体に沿い、嵌合接続が形成される。
【００４８】
図４は、器具（２）に対して締着された停止用ワッシャ（１９）、および、回転ネジ（７）と前記停止用ワッシャ（１９）との間の一定の引張力初期化手段（６）を示している。これにより、器具（２）とハンドル（１）のヘッドの進入角度区域（Ｚ１）との間に一定の引張力が引き起こされると共に、停止用ワッシャ（１９）と楔状部材（５０）との間に一定の二次的引張手段（１０）が提供される。これにより、両方の円錐区域（Ｚ１およびＺ２）には調節力が存在することを意味するので、例えば器具（２）とハンドル・ヘッド（１）の退出角度区域（Ｚ２）との間に楔状部材（５０）により一定の引張力が生成される。
【００４９】
第３要素（３）の本体（１４）において締着ネジ（７）の螺条（１５１）上には、例えばプラスチック製の自動ロック片（４）が配置される。
【００５０】
図３および図４における如く楔状部材（５０）と第３要素（３）との間に補足的要素として回転防止ピン（８）が在るが、それは、楔状部材（５０）とハンドル（２）のヘッドとの間、停止用ワッシャ（１９）と器具（２）との間、および同様に器具（１）とハンドル（２）との間、または、これらの要素の内の幾つかの間に同時に配置され得る。
【００５１】
図示されない別の変形例において、締着ネジ（７）のヘッド（９）は器具（２）に対して直接的に当接する。締着ネジ（７）の本体（１６）は、第３要素（３）を必要とせずに、ハンドル（１）のヘッド内へと直接的に螺着される。
【００５２】
本発明の目的は、第３要素（３）の存在と、締着ネジ（７）のヘッド（９）または類似要素を、器具（２）または停止用ワッシャ（１９および５）もしくは楔状部材（５０）などの中間要素に対し直接的に当接させる事実と、を組み合わせ又は組み合わせず、且つ、前記ハンドルの双円錐状ヘッドと前記器具（２）の双円錐孔との間の継続的な嵌合を達成するために、それらの間に１個または種々の引張要素を用いることに在る。
【００５３】
全ての変形例においてハンドル（１）のヘッドの端部表面（Ｘ）は、それが長手方向に移動するのを許容する空間（Ｓ）が結果的に存在する様に自由にされる。
【００５４】
故に、ハンドル（１）のヘッドが孔（１１）の底部に到達しないこともあり得、寧ろ、前記ヘッドは、締着ネジ（７）が回転するときにハンドル（１）の前記ヘッドを器具（２）に対して嵌合するために前記ヘッドの長手方向移動を許容する空間を残置するか、または、図１および図４において理解され得る如く端部表面（Ｘ）と停止用ワッシャ（１９および５）との間に自由空間（Ｓ）が残存する。
【００５５】
いずれにしても、ハンドル（１）のヘッドは締着ネジ（７）に関してナットとして作用する。
【００５６】
各図において第３要素（３）は雄機能を果たす締着ネジ（７）に関して雌要素として示されるが、それは逆とされ得る。換言すると、雄／雌の関係は、第３要素（３）と、締着ネジ（７）もしくは同等要素との間で確立され得る。
【図面の簡単な説明】
【００５７】
【図１】本発明の目的である接続機構の実施形態の長手断面図である。
【図２】本発明の目的である別の実施形態の長手断面図である。
【図３】本発明の目的であると共に双円錐状ハンドル（１）を備えた実施形態の長手断面図である。
【図４】本発明の目的であると共に双円錐状ハンドル（１）を備えた別の実施形態の長手断面図である。
【符号の説明】
【００５８】
１    ハンドル・ヘッド
２    器具
３    第３要素
４    自動ロック片
５    停止用ワッシャ
６    定常引張力ワッシャ／引張力初期化手段
７    締着ネジ
８    回転防止ピン
９    ヘッド
１０    二次的引張手段
１１    貫通孔
１１１    入口区域
１１２    出口区域
１２    先鋭突出部
１３    螺条
１４    本体
１５    螺条
１５１    螺条
１６    本体
１７    第２貫通孔
１８    キャビティ
１９    停止用ワッシャ
２０    拡開ワッシャ
２５    引抜き要素
３１    出口
４０    底部孔／内側孔
５０    楔状部材
【図１】
2008514442.tif 000003
【図２】
2008514442.tif 000004
【図３】
2008514442.tif 000005
【図４】
2008514442.tif 000006
【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
ａ）非金属製ヘッドを有する、器具（２）用ハンドル（１）を備え、
ｂ）前記器具（２）は、前記ハンドル（１）のヘッドが差込まれることで前記ハンドル・ヘッドの端部表面（Ｘ）を自由にする孔（１１）を有しており、さらに、
ｃ）前記ハンドル（１）のヘッドの頂部に対して締着されることで前記ハンドルのヘッドの横断面を部分的に占有し、前記ハンドルのヘッド内に完全に収容される、金属製で変形不能な第３要素（３）と、
ｄ）その本体（１６）が前記第３要素に対して接続される締着ネジ（７）であって、該ネジ（７）は前記器具（２）に当接するヘッド（９）を有し、前記第３要素（３）と前記締着ネジ（７）との間で雄／雌関係を確立して、前記第３要素（３）が長手方向に移動することで自身により前記ハンドル（１）のヘッドを引張り且つ前記ハンドルを前記器具（２）の前記孔（１１）内に差込むようにする、締着ネジ（７）と、
を備える手動の用具もしくは工具のためのハンドル接続機構。
【請求項２】
ａ）前記器具（２）は入口区域（１１１）および出口区域（１１２）から成る孔を有し、前記出口区域（１１２）の表面は少なくとも前記孔の内部に向けて収束し、
ｂ）前記ハンドル（１）は進入角度区域（Ｚ１）および退出角度区域（Ｚ２）を備えたハンドル・ヘッドを有し、前記進入角度区域（Ｚ１）の外側表面はそれが差込まれる前記孔の前記入口区域（１１１）の対応表面に一致すると共に前記ハンドル・ヘッドの端部表面（Ｘ）は自由にされ、
ｃ）前記ハンドル・ヘッドは前記退出角度区域（Ｚ２）における出口（３１）にて楔状部材（５０）を有する内側孔を有し、前記楔状部材は前記退出角度区域（Ｚ２）に対して圧力が付与されたときに前記退出角度区域（Ｚ２）の外側表面を、前記退出角度区域が差込まれた前記孔の対応出口区域（１１２）に対して面一に嵌合させ、
ｄ）前記締着ネジ（７）は、その本体（１６）が前記楔状部材（５０）を貫通し、前記器具（２）に対して直接的／間接的に当接するヘッド（９）を有し、前記ハンドル（１）のヘッドが、前記締着ネジ（７）に関するナットの様に作用しながら、長手方向に移動できる、
請求項１に記載のハンドル接続機構。
【請求項３】
前記締着ネジ（７）の前記ヘッド（９）と前記器具（２）との間に、機械的引張力初期化手段（６）が配置される、請求項２に記載のハンドル接続機構。
【請求項４】
前記締着ネジ（７）の前記ヘッド（９）は、前記楔状部材（５０）により前記器具（２）に対して直接的に当接する、請求項３に記載のハンドル接続機構。
【請求項５】
前記締着ネジ（７）の前記ヘッド（９）は、前記貫通孔（１１）の前記出口において前記器具（２）に対して締着された停止用ワッシャ（１９、５）により前記器具（２）に対して直接的に当接する、請求項３に記載のハンドル接続機構。
【請求項６】
前記機械的引張力初期化手段（６）は、前記締着ネジ（７）の前記ヘッド（９）と前記楔状部材（５０）との間に配置される、請求項４に記載のハンドル接続機構。
【請求項７】
前記機械的引張力初期化手段（６）は、前記締着ネジ（７）の前記ヘッド（９）と前記停止用ワッシャ（１９、５）との間に配置される、請求項５に記載のハンドル接続機構。
【請求項８】
前記楔状部材（５０）と前記停止用ワッシャ（１９）との間に機械的二次引張手段（１０）が配置される、請求項７に記載のハンドル接続機構。
【請求項９】
前記器具（２）と前記停止用ワッシャ（１９）との間に、回転防止ピン（８）が配置される、請求項７に記載のハンドル接続機構。
【請求項１０】
前記第３要素（３）と前記停止用ワッシャ（５）との間に、回転防止ピン（８）が配置される、請求項５に記載のハンドル接続機構。
【請求項１１】
前記ハンドル（１）のヘッドと前記停止用ワッシャ（５）との間に、回転防止ピン（８）が配置される、請求項５に記載のハンドル接続機構。
【請求項１２】
前記孔、前記ハンドル（１）のヘッド、前記第３要素（３）、および前記楔状部材（５０）は同軸である、請求項２に記載のハンドル接続機構。
【請求項１３】
前記第３要素（３）上における前記締着ネジ（７）の螺条（１５、１５１）上の自動ロック片（４）を更に備える、請求項１に記載のハンドル接続機構。
【請求項１４】
前記第３要素（３）は前記ハンドル（１）のヘッド内に深く貫通する延在部（１２）を有する、請求項１に記載のハンドル接続機構。
【請求項１５】
前記器具（２）と前記ハンドル（１）のヘッドとの間に回転防止ピン（８）が配置される、請求項３に記載のハンドル接続機構。
【請求項１６】
前記孔および前記ハンドル（１）のヘッドは、相互に嵌合される、請求項２に記載のハンドル接続機構。
【請求項１７】
前記第３要素（３）と前記ハンドル（１）のヘッドとの間に少なくとも一個の拡開ワッシャ（２０）が配置され、前記ワッシャは前記ハンドル（１）のヘッド内において前記第３要素（３）の螺条（１３）に対する回転防止機能を果たすと共に前記ハンドル（１）のヘッドに対する軸方向停止部として作用することで、前記第３要素（３）が前記ハンドル（１）のヘッドから分離するのを防止する、請求項１に記載のハンドル接続機構。
【請求項１８】
前記器具（２）は前記締着ネジの前記ヘッド（９）を隠すキャビティ（１８）を有し、前記キャビティ（１８）は、前記ハンドル（１）のヘッドから前記器具（２）を分離するために力が付与され得る引抜き要素（２５）を有する、請求項１に記載のハンドル接続機構。
【請求項１９】
前記締着ネジ（７）の前記ヘッド（９）は前記器具（２）に対して直接的に当接する、請求項１に記載のハンドル接続機構。
【請求項２０】
前記ハンドル（１）のヘッドと前記第３要素（３）との間に、回転防止ピン（８）が配置される、請求項１に記載のハンドル接続機構。
【手続補正２】
【補正対象書類名】明細書
【補正対象項目名】全文
【補正方法】変更
【補正の内容】
【発明の詳細な説明】
【技術分野】
【０００１】
関連出願に関する相互参照
本出願は、２００４年１０月１日に出願されたスペイン出願Ｐ−２００４０２３４２および２００４年１０月１日に出願されたスペイン出願Ｐ−２００４０２３４３の優先権を主張して２００４年１０月１９日に出願された国際出願ＰＣＴ／ＥＳ２００４／０００４４９の一部継続出願であり、全ての３件の優先権は本出願において主張されると共に、３件の全ての開示内容は言及したことにより本明細書中に援用される。
【０００２】
本発明は手動工具に関し、より詳細には、ハンドルと工具のヘッドとの間における接続アセンブリに関する。
【背景技術】
【０００３】
手動の器具、用具、工具または道具は器具／工具アセンブリに対して接続されるべきハンドルを有し、斯かる工具の例は、金槌、帚（ほうき）、ネジ回し、斧、手斧、櫓（オール）、ステッキ、平鍋、料理用具である。
【発明の開示】
【発明が解決しようとする課題】
【０００４】
ハンドルと器具（ヘッド）との間の接続機構は使用および継続的な強打により劣化することで、器具とハンドルとの間における不都合な摩耗および間隙を引き起こす。
【０００５】
この問題を解決するために、ＢＥ１０１１５０５およびその他は、器具とハンドルとの間に調節ネジを使用している。
【０００６】
これまでに知られた解決手段においては、器具の孔の上側区域および前記孔の出口の下側区域の両方においてハンドルのヘッドに対する圧力／変形が制御されない問題があった。
【０００７】
別の非常に深刻な問題は、ハンドルのヘッドが器具内に挿入されるときに孔／調節ネジが蒙る不都合な変形の結果として生ずる。
【課題を解決するための手段】
【０００８】
本出願人は、ハンドルのヘッドの頂部に対して締着されることでその横断面を部分的に占有することから前記ハンドルのヘッドの材料に関する所望の変形が得られる金属性質の第３要素を作成することにより、上述の問題を解決する。
【０００９】
同様にこの第３要素内の孔は、前記ハンドルと器具との間における圧力により変形されること無く、外部から遮断される。
【００１０】
本発明はハンドルと器具との間における調節可能および／または正確な接続機構を提供し、前記接続機構は経時的な使用および強打の後でも間隙なしで維持され、前記接続機構は調整／締め付け可能であり、且つ、前記接続機構は器具からのハンドルの分離を防止することで高度に安全である。
【００１１】
本発明の接続機構を用いることにより、器具の耐用寿命が延びると共に、時間が経過してもその特性は、まさに最初に使用されたときの様に維持される。
【００１２】
特に、本発明の手動の用具もしくは工具のためのハンドル接続機構は、
ａ）非金属製ヘッドを有する、器具用ハンドルを備え、
ｂ）前記器具は、前記ハンドルのヘッドが差込まれることで前記ハンドル・ヘッドの端部表面を自由にする孔を有しており、さらに、
ｃ）前記ハンドルのヘッドの頂部に対して締着されることで前記ハンドルのヘッドの横断面を部分的に占有し、前記ハンドルのヘッド内に完全に収容される、金属製で変形不能な第３要素と、
ｄ）その本体が前記第３要素に対して接続される締着ネジであって、該ネジは前記器具に当接するヘッドを有し、前記第３要素と前記締着ネジとの間で雄／雌関係を確立して、前記第３要素が長手方向に移動することで自身により前記ハンドルのヘッドを引張り且つ前記ハンドルを前記器具の前記孔内に差込むようにする、締着ネジと、
を備えることにより特徴付けられる。
【００１３】
前記ハンドル接続機構は、前記締着ネジの前記ヘッドは、前記ヘッドが貫通する前記器具の出口に形成された差込部内に嵌合された停止用ワッシャにより、前記器具に対して間接的に当接することも特徴とする。
【００１４】
前記ハンドル接続機構は、前記器具および前記第３要素は金属製であり且つ前記ハンドルのヘッドは非金属であることも特徴とする。
【００１５】
前記ハンドル接続機構は、前記孔および前記ハンドルのヘッドが完全に密封された水密シールにより相互に嵌合されることも特徴とする。
【００１６】
前記ハンドル接続機構はまた、
（ａ）前記器具は、好適には貫通孔である孔であって、好適には相互に収束する入口区域および出口区域から成る孔を有し、
（ｂ）前記ハンドルは進入角度区域および退出角度区域を備えたハンドル・ヘッドを有し、前記進入角度区域の外側表面は前記孔の入口区域の対応表面に一致し、且つ、前記退出角度区域の外側表面は前記孔の出口区域の対応表面に一致し、
（ｃ）前記ハンドル・ヘッドは前記退出角度区域の前記出口における楔状部材を備えた内側孔を有し、前記楔状部材は前記退出角度区域に対して圧力が付与されたときに前記楔状部材自体により前記退出角度区域の表面を、前記退出角度区域が挿入された前記孔の対応出口区域に対して面一に嵌合させ、
（ｄ）前記第３金属要素に対しては本体が前記楔状部材を貫通する締着ネジが直接的に螺着され、前記ネジは、前記器具に対して直接的／間接的に当接するヘッドを有し、前記ハンドルのヘッドが前記締着ネジに関するナットの様に作用する
ことも特徴とする。
【００１７】
前記ハンドル接続機構は、前記ハンドル接続機構が、前記締着ネジのヘッドと、前記器具との間、または、前記器具に対して直接的／間接的に結合された要素との間に機械的引張力初期化手段を備えることも特徴とする。
【００１８】
前記ハンドル接続機構は、前記締着ネジのヘッドが楔状部材により前記器具に対して間接的に当接することも特徴とする。
【００１９】
前記ハンドル接続機構は、前記締着ネジのヘッドが、前記貫通孔の前記出口において前記器具に嵌合された停止用ワッシャにより前記器具に対して間接的に当接することも特徴とする。
【００２０】
前記ハンドル接続機構は、前記ハンドル接続機構が前記締着ネジのヘッドと前記楔状部材との間に機械的引張力初期化手段を備えることも特徴とする。
【００２１】
前記ハンドル接続機構は、前記ハンドル接続機構が前記締着ネジのヘッドと前記停止用ワッシャとの間に機械的引張力初期化手段を備えることも特徴とする。
【００２２】
前記ハンドル接続機構は、前記楔状部材と前記停止用ワッシャとの間に機械的二次引張手段が在ることも特徴とする。
【００２３】
この接続機構は、上述されたハンドル／器具の接続機構に関する問題を効果的に解決する。
【００２４】
前記接続機構は、（前記楔状部材による圧力の後で）前記ハンドルの円錐状もしくは双円錐状のヘッドの接触表面全体に沿い、且つ、前記器具の円錐状もしくは双円錐状の貫通孔内において、円錐状接続機構もしくは両方とも双円錐状の接続機構の雄／雌要素間における（逆方向の）阻止力および引張力を以て嵌合される。これらの引張力は一定であることが好適である。
【００２５】
本発明の目的をより良く理解するために、図面は、基本構造を損なわない付帯的変更をともなう好適な様式の実施形態を表す。
【発明を実施するための最良の形態】
【００２６】
以下においては、本発明の実施形態の非限定的な例が記述される。
【００２７】
器具は雌機能を果たすことから、前記器具は、ハンドル（１）のヘッドであって雄機能を果たすヘッドが差込まれる孔（１１）を有する。孔（１１）は、貫通孔とされても良く（図１）、されなくても良い（図２）。
【００２８】
孔（１１）の表面領域およびハンドル（１）の前記ヘッドの外側表面領域は相互に完全に一致かつ嵌合される、と言うのも、たとえば両者は精密加工されているからである。
【００２９】
両方の表面間の嵌合は完全である。
【００３０】
孔（１１）の表面は収束しており、その断面の表面は前記孔の一端から他端に亙り減少することを意味し、故にこの区画は円形、楕円または多角形などの任意の形状を有し得る。
【００３１】
図１においては貫通孔（１１）の出口にて、たとえば停止用ワッシャ（５）を固定差込部（１０）内に嵌合することで前記停止用ワッシャ（５）は器具（２）に対して締着されることが理解され得る。
【００３２】
ハンドル（１）のヘッドを器具（２）に対して結合する締着ネジ（７）が在ることから、前記ハンドル（１）は、たとえば前記ハンドルのヘッド内に深く貫通する先鋭突出部（１２）の螺条（１３）を螺着挿入することにより、または、他の任意の従来手段により、ハンドル（１）のヘッドに対して締着された第３要素（３）（引張りシャフト）を備える。第３要素（３）は、前記第３要素（３）の頂面がハンドル（１）の端部表面（Ｘ）と面一となるか又は前記端部表面より低くなる如く、ハンドル（１）のヘッド内に収容される。
【００３３】
第３要素（３）の本体（１４）は、任意の種類の断面を有し得る。
【００３４】
締着ネジ（７）はその本体（１６）により第３要素（３）の本体（１４）内へと螺条（１５）により螺着されると共に、前記締着ネジは直接的／間接的に器具（２）に対して当接せねばならない。この場合（図１）、前記締着ネジは停止用ワッシャ（５）により間接的に当接している。故に、締着ネジ（７）は停止用ワッシャ（５）を貫通すると共に前記締着ネジ（７）のヘッド（９）はこの停止用ワッシャ（５）に対して当接し、且つ、前記２個の部材間には、定常引張力ワッシャ（６）、または、たとえばスプリング、弾性プレートなどの他の機械的な引張手段が在る。
【００３５】
締着ネジ（７）は強弱自在に締め付け可能であり、孔（１１）内においてハンドル（１）のヘッドと器具（２）との間に生ずる間隙は補正され得る。
【００３６】
第３要素（３）の本体（１４）内における締着ネジ（７）の螺条（１５）に対しては、たとえばプラスチック製の自動ロック片（４）が装着される。
【００３７】
図１における如く停止用ワッシャ（５）と第３要素（３）との間に補足的要素として回転防止ピン（８）が在るが、それは停止用ワッシャ（５）とハンドル（１）のヘッドとの間に配置され得る。それはまた、器具（２）とハンドル（１）のヘッドとの間、または、これらの要素の内の幾つかの間に同時に配置され得る。
【００３８】
回転防止ピン（８）は、キー、または、他の同等の機械的要素により置き換えられ得る。
【００３９】
第３要素（３）の材料は、ハンドル（１）のヘッドの材料と異なる。たとえばハンドル（１）のヘッドは木材もしくは合成材料であると共に、第３要素（３）は金属であり、または、両方の要素が非金属とされ得る。
【００４０】
通常、器具（２）自体は金属製である。
【００４１】
図２においては、締着ネジ（７）のヘッド（９）が如何にして器具（２）に対し直接的に当接するかが理解され得る。締着ネジ（７）の本体（１６）は器具（２）内に形成された第２貫通孔（１７）を貫通し、前記締着ネジはハンドル（１）のヘッド内へと直接的に螺着される。
【００４２】
図１に示された処と同様に、定常引張力ワッシャ（６）、自動ロック片（４）および回転防止ピン（８）が在る。
【００４３】
締着ネジ（７）のヘッド（９）を逃がすために、器具（２）内にはキャビティ（１８）が形成される。
【００４４】
ハンドル（１）のヘッド上における要素（３）の更に良好な締着を提供すべく、それらの間には（たとえば）１個または種々の（拡開可能な）止めワッシャ（２０）、保持クリップ、または、同等の機械的要素が在り、これは、第３要素（３）の螺条（１３）がハンドル（１）のヘッド内で回転するのを防止すると共に、ハンドル（１）のヘッドに対する軸方向停止部として機能することにより第３要素（３）がハンドル（１）のヘッドから分離するのを防止する。
【００４５】
拡開ワッシャ（２０）によれば、螺条（１３）が破断した場合でさえも、第３要素（３）はハンドル（１）のヘッドから分離しないこと、換言すると、器具（２）がハンドル（１）のヘッドから分離しないことが保証される。
【００４６】
キャビティ（１８）内には、引抜き要素（２５）（たとえば拡開ワッシャ）が配置され、前記キャビティ（１８）から離脱させずに締付けネジ（７）を螺着解除するときに前記引抜き要素に対して引抜き力を付与することができ、ハンドル（１）のヘッドから器具（２）が分離される（図２）。
【００４７】
図３に示された形態において前記貫通孔は、前記貫通孔の中心に向かう収束表面（たとえば、円形、楕円形または多角形などの任意の種類の断面を備えた円錐、角錐区画などの２つの区画）である入口区域（１１１）および出口区域（１１２）を呈する。
【００４８】
ハンドル・ヘッド（１）は進入角度区域（Ｚ１）および退出角度区域（Ｚ２）を呈し、それらの外側表面は、（以下に説明される如く楔状部材（５０）が一旦作用したなら）前記貫通孔の対応表面により呈される外側表面に対して面一に嵌合される。
【００４９】
ハンドル・ヘッド（１）は、前記貫通孔に挿入されたままである。
【００５０】
ハンドル（１）のヘッドには、出口（３１）において楔状部材（５０）を有する底部孔（４０）が形成される。
【００５１】
好適には退出角度区域（Ｚ２）は、溝または拡開区域を呈し、前記区域が前記貫通孔の最小半径区域（Ｚ３）へ貫通する、または最小半径区域を通過して導入されるのを可能とする。こうして、退出角度区域（Ｚ２）は前記貫通孔の出口区域（１１２）内に配置され、前記退出角度区域は、たとえば円錐形状である楔状部材（５０）によりこの出口区域（１１２）に対して調節される。退出角度区域（Ｚ２）は、変形可能で拡開可能である。
【００５２】
締着ネジ（７）はその本体（１６）の螺条（１５）により第３要素（３）の本体（１４）内へと螺着されると共に、前記ネジは器具（２）に対して直接的／間接的に当接せねばならない。この場合（図３）、前記ネジは楔状部材（５０）により直接的に当接する。故に締着ネジ（７）は楔状部材（５０）を貫通すると共に、前記締着ネジ（７）のヘッド（９）はこの楔状部材（５０）に対して当接する。それらの間には、定常引張力ワッシャ（６）、または例えばスプリング、弾性プレートなどの他の機械的な引張手段の如き引張力初期化手段が配備される。
【００５３】
締着ネジ（７）は強弱自在に締め付け可能であり、前記貫通孔内においてハンドル（１）のヘッドと器具（２）との間に生ずる間隙は補正され得ることから、器具（２）と、ハンドル（１）のヘッドと、楔状部材（５０）との間の摩擦区域全体に沿い、嵌合接続が形成される。
【００５４】
図４は、器具（２）に対して締着された停止用ワッシャ（１９）、および、回転ネジ（７）と前記停止用ワッシャ（１９）との間の一定の引張力初期化手段（６）を示している。これにより、器具（２）とハンドル（１）のヘッドの進入角度区域（Ｚ１）との間に一定の引張力が引き起こされると共に、停止用ワッシャ（１９）と楔状部材（５０）との間に一定の二次的引張手段（１０’）が提供される。これにより、両方の円錐区域（Ｚ１およびＺ２）には調節力が存在することを意味するので、例えば器具（２）とハンドル・ヘッド（１）の退出角度区域（Ｚ２）との間に楔状部材（５０）により一定の引張力が生成される。
【００５５】
第３要素（３）の本体（１４）において締着ネジ（７）の螺条（１５１）上には、例えばプラスチック製の自動ロック片（４）が配置される。
【００５６】
図３および図４における如く楔状部材（５０）と第３要素（３）との間に補足的要素として回転防止ピン（８）が在るが、それは、楔状部材（５０）とハンドル（１）のヘッドとの間、停止用ワッシャ（１９）と器具（２）との間、および同様に器具（２）とハンドル（１）との間、または、これらの要素の内の幾つかの間に同時に配置され得る。
【００５７】
図５に示された別の変形例において、締着ネジ（７）のヘッド（９）は器具（２）に対して直接的に当接し、回転防止ピン（８）はハンドル（１）内におけるインサート（３）の回転を防止する。
【００５８】
本発明の目的は、第３要素（３）の存在と、締着ネジ（７）のヘッド（９）または類似要素を、器具（２）または停止用ワッシャ（１９および５）もしくは楔状部材（５０）などの中間要素に対し直接的に当接させる事実と、を組み合わせ、且つ、前記ハンドルの双円錐状ヘッドと前記器具（２）の双円錐孔との間の継続的な嵌合を達成するために、それらの間に１個または種々の引張要素を用いることに在る。
【００５９】
全ての変形例においてハンドル（１）のヘッドの端部表面（Ｘ）は、それが長手方向に移動するのを許容する空間（Ｓ）が実質的に存在する様に自由にされる。
【００６０】
ハンドル（１）のヘッドが孔（１１）の底部に到達しないこともあり、寧ろ、前記ヘッドは、締着ネジ（７）が回転するときにハンドル（１）の前記ヘッドを器具（２）に対して嵌合するために前記ヘッドの長手方向移動を許容する空間を残置するか、または、図１および図４において理解され得る如く端部表面（Ｘ）と停止用ワッシャ（１９および５）との間に自由空間（Ｓ）が残存する。
【００６１】
いずれにしても、ハンドル（１）のヘッドは締着ネジ（７）に関してナットとして作用する。
【図面の簡単な説明】
【００６２】
【図１】本発明の目的である接続機構の実施形態の長手断面図である。
【図２】本発明の目的である別の実施形態の長手断面図である。
【図３】本発明の目的であると共に双円錐状ハンドル（１）を備えた実施形態の長手断面図である。
【図４】本発明の目的であると共に双円錐状ハンドル（１）を備えた別の実施形態の長手断面図である。
【図５】器具に当接するネジを備えた接続機構の実施形態の長手断面図である。
【符号の説明】
【００６３】
１    ハンドル・ヘッド
２    器具
３    第３要素／インサート
４    自動ロック片
５    停止用ワッシャ
６    定常引張力ワッシャ／引張力初期化手段
７    締着ネジ
８    回転防止ピン
９    ヘッド
１０    二次的引張手段
１１    貫通孔
１１１    入口区域
１１２    出口区域
１２    先鋭突出部
１３    螺条
１４    本体
１５    螺条
１５１    螺条
１６    本体
１７    第２貫通孔
１８    キャビティ
１９    停止用ワッシャ
２０    拡開ワッシャ
２５    引抜き要素
３１    出口
４０    底部孔／内側孔
５０    楔状部材
【手続補正３】
【補正対象書類名】図面
【補正対象項目名】図５
【補正方法】追加
【補正の内容】
【図５】
2008514442.tif 000007
【国際調査報告】
2008514442.tif 000008
2008514442.tif 000009
2008514442.tif 000010
2008514442.tif 000011
2008514442.tif 000012
2008514442.tif 000013
2008514442.tif 000014
2008514442.tif 000015